(57)【要約】【課題】極力庫内の収納体積に影響を与えることなく、冷蔵室の前面開口を開閉する開閉扉裏面に液体ディスペンサーを配置して、使用者にとって使い勝手のよい、実用的な冷蔵庫を提供すること。【解決手段】液体ディスペンサー１５の左右側壁１５Ａの幅狭の後面１５Ａ２には、開閉扉７の内側裏面に庫内方向へ突出して形成した上下方向に延びた取付け体１０Ａ、１０Ｂに突出した支承部１３Ａ、１３Ｂが下方からそれぞれ嵌合する嵌合溝１５Ｂが形成される。液体ディスペンサー１５を開閉扉７の裏面に取り付ける際には、支承部１３Ａ、１３Ｂに各嵌合溝１５Ｂが上方から嵌合しながら下方へと案内され、各嵌合溝１５Ｂの上端部を形成する各当接部１５Ｃが支承部１３Ａ、１３Ｂの上端部に当接係止して、開閉扉７の裏面に取り付けられることとなる。【選択図】図３
2014139488.tif 000002
【特許請求の範囲】
【請求項１】
冷蔵室の前面開口を開閉する開閉扉を備えた冷蔵庫において、充填された飲料を貯留すると共に前記飲料を飲むときに取出すことができる液体ディスペンサーを前記開閉扉の裏面に取り付け取り外し可能に取り付けたことを特徴とする冷蔵庫。
【請求項２】
冷蔵室の前面開口を開閉する開閉扉を備えた冷蔵庫において、充填された飲料を貯留すると共に前記飲料を飲むときに取出すことができる液体ディスペンサーを、前記開閉扉の裏面に物品を収納する収納ラックを取り付ける一対の上下方向に延びた取付け体に取り付け取り外し可能に取り付けたことを特徴とする冷蔵庫。
【請求項３】
冷蔵室の前面開口を開閉する開閉扉を備えた冷蔵庫において、前記開閉扉の裏面に物品を収納する収納ラックを取り付ける一対の上下方向に延びた取付け体に充填された飲料を貯留すると共に前記飲料を飲むときに取出すことができる液体ディスペンサーを支承する支承部を形成して、前記液体ディスペンサーを前記一対の取付け体に取り付け取り外し可能に取り付けたことを特徴とする冷蔵庫。
【発明の詳細な説明】
【技術分野】
【０００１】
本発明は、冷蔵室の前面開口を開閉する開閉扉を備えた冷蔵庫や、冷蔵室の前面開口を開閉する開閉扉裏面に物品を収納する収納ラックを備えた冷蔵庫に関する。
【背景技術】
【０００２】
例えば、特許文献１において、冷蔵庫内に設置された貯水容器の冷却水を冷蔵庫の外側で取り出せる冷蔵庫の水分配器が提案され、また特許文献２において、冷蔵庫の庫内の棚板上に液体ディスペンサーを配置する技術が提案されている。
【先行技術文献】
【特許文献】
【０００３】
【特許文献１】特表平１１−５０８０２８号公報
【特許文献２】特表２００５−５２７４３８号公報
【発明の概要】
【発明が解決しようとする課題】
【０００４】
しかしながら、特許文献１に開示する技術にあっては、冷蔵室の前面開口を開閉する開閉扉に水分配器を設置して、冷却水を冷蔵庫の外側で取出すための構造が必要であって、複雑で高価となる問題がある。また特許文献２に開示する技術にあっては、冷蔵庫自体の設計とは関係なく、液体ディスペンサーを冷蔵庫の庫内に設置するものであるから、特許文献１のような問題はないが、冷蔵庫内に配置するものであるから、前記液体ディスペンサーの体積分だけ庫内の収納体積に影響を与えるものである。
【０００５】
そこで本発明は、極力庫内の収納体積に影響を与えることなく、冷蔵室の前面開口を開閉する開閉扉裏面に液体ディスペンサーを配置して、使用者にとって使い勝手のよい、実用的な冷蔵庫を提供することを目的とする。
【課題を解決するための手段】
【０００６】
このため第１の発明は、冷蔵室の前面開口を開閉する開閉扉を備えた冷蔵庫において、充填された飲料を貯留すると共に前記飲料を飲むときに取出すことができる液体ディスペンサーを前記開閉扉の裏面に取り付け取り外し可能に取り付けたことを特徴とする。
【０００７】
第２の発明は、冷蔵室の前面開口を開閉する開閉扉を備えた冷蔵庫において、充填された飲料を貯留すると共に前記飲料を飲むときに取出すことができる液体ディスペンサーを、前記開閉扉の裏面に物品を収納する収納ラックを取り付ける一対の上下方向に延びた取付け体に取り付け取り外し可能に取り付けたことを特徴とする。
【０００８】
第３の発明は、冷蔵室の前面開口を開閉する開閉扉を備えた冷蔵庫において、前記開閉扉の裏面に物品を収納する収納ラックを取り付ける一対の上下方向に延びた取付け体に充填された飲料を貯留すると共に前記飲料を飲むときに取出すことができる液体ディスペンサーを支承する支承部を形成して、前記液体ディスペンサーを前記一対の取付け体に取り付け取り外し可能に取り付けたことを特徴とする。
【発明の効果】
【０００９】
本発明によれば、極力庫内の収納体積に影響を与えることなく、冷蔵室の前面開口を開閉する開閉扉裏面に液体ディスペンサーを配置して、使用者にとって使い勝手のよい、実用的な冷蔵庫を提供することができる。
【図面の簡単な説明】
【００１０】
【図１】液体ディスペンサーを取り付ける前の状態で、冷蔵室の開閉扉を開いた状態の冷蔵庫の斜視図である。
【図２】液体ディスペンサーの斜視図である。
【図３】液体ディスペンサーを取り付けた後の状態で、冷蔵室の開閉扉を開いた状態の冷蔵庫の斜視図である。
【図４】図３のＡ−Ａ断面図である。
【図５】液体ディスペンサーを取り付ける前の状態で、冷蔵室の開閉扉を開いた状態の冷蔵庫の斜視図である。
【発明を実施するための形態】
【００１１】
以下、本発明の冷蔵庫の実施形態について、図面を参照しながら説明する。先ず、図１において、冷蔵庫１は、前方に開口する鋼板製の外箱と硬質合成樹脂製の内箱間に発泡ポリウレタン断熱材を現場発泡方式により充填して成る断熱箱体により構成されている。そして、この断熱箱体の庫内は、それぞれ水平に設けられた仕切板２によって上下に区画され、上部に冷蔵室３、下部に冷凍室４等が設けられている。
【００１２】
前記冷蔵室３内には上下複数段の棚５が配設され、この冷蔵室３の前面開口は各ヒンジ６により左右の扉がそれぞれ回動される観音扉である開閉扉７にて開閉自在に閉塞される。また、前記冷凍室４の前面開口は引き出し式の開閉扉９により開閉自在に閉塞される。
【００１３】
そして、前記断熱箱体の底壁は後部が階段状に立ち上がる形状とされており、この底壁の下方及び後方外側には機械室が形成されており、この機械室内には冷凍サイクルを構成する圧縮機、放熱器としての凝縮器が設置され、前記圧縮機の運転により冷却器で生成された冷気は送風機により吹出口を介して前記冷凍室４及び前記冷蔵室３内に供給され、それぞれ冷凍温度、冷蔵温度に保持される。
【００１４】
そして、前記開閉扉７の内側裏面に内方（庫内方向）へ突出して上下方向に延びて形成した両取付け体１０Ａ、１０Ｂ間に、物品を収納する上下三段の収納ラック１２が着脱可能に取付けられる。前記取付け体１０Ａ、１０Ｂは、前記開閉扉７の裏面を形成する内板と一体に形成してもよいし、別体に形成してもよい。前記収納ラック１２は、透明な合成樹脂材料で作製されて、上面のみ開口した箱状を呈している。
【００１５】
なお、この収納ラック１２の左右側壁１２Ａ、１２Ｂは、その前後の中間位置において段差部が形成されており、前記開閉扉７の裏面側から見て手前部より後部（奥部）が内側寄りに窄まって幅狭に構成され、この幅狭の前記後部においてその左右側壁１２Ａと１２Ｂとの間隔の外側寸法（前記後部の長手方向の長さ、即ち横幅寸法）が前記取付け体１０Ａと１０Ｂとの間隔より少し短い長さを有していると共に前記手前部においてその左右側壁１２Ａと１２Ｂとの間隔の外側寸法（前記手前部の長手方向の長さ）が前記取付け体１０Ａと１０Ｂとの間隔より少し長い長さを有している。
【００１６】
このため、前記収納ラック１２の前記後部は前記取付け体１０Ａと１０Ｂとの間に納まり、前記手前部との段差面が前記開閉扉７の前記取付け体１０Ａ、１０Ｂの前端面と向かい合うように（接するように）、前記収納ラック１２は前記開閉扉７の裏面に取り付けられることとなる。
【００１７】
そして、前記取付け体１０Ａ、１０Ｂの対向する面には、その中間部に対向する方向に突出した支承部１３Ａ、１３Ｂが形成される。この支承部１３Ａ、１３Ｂは縦方向に長い直方体形状を呈しており、前記取付け体１０Ａ、１０Ｂと一体に形成してもよいし、別体に形成してもよい。
【００１８】
次に、図２に基づいて、水、ジュース等の飲料を供給できる液体ディスペンサー１５について説明する。この液体ディスペンサー１５は、充填された前記飲料を貯留すると共に前記飲料を飲むときに取出すことができるもので、前記開閉扉７の裏面に工具無しで取り付け取り外し可能に取り付けられる。
【００１９】
前記液体ディスペンサー１５は、概ね横長の直方体形状を呈して、前記ラック１２の外形形状が同様であって、両側壁１５Ａはその前後の中間位置において段差部が形成されており、前記開閉扉７の裏面側から見て手前部より後部（奥部）が内側寄りに窄まって幅狭に構成され、この幅狭の前記後部においてその左右側壁１５Ａの後面１５Ａ２と１５Ａ２間の間隔の外側寸法（前記後部の横幅寸法）が前記取付け体１０Ａと１０Ｂとの間隔より少し短い長さを有していると共に前記手前部においてその左右側壁１５Ａの前面１５Ａ１と１５Ａ１間の間隔の外側寸法（横幅寸法）が前記取付け体１０Ａと１０Ｂとの間隔より少し長い長さを有している。
【００２０】
このため、前記液体ディスペンサー１５の後部は前記取付け体１０Ａと１０Ｂとの間に納まり、前記段差部が前記開閉扉７の前記取付け体１０Ａ、１０Ｂの前端面と向かい合うように（接するように）、前記液体ディスペンサー１５は前記開閉扉７の裏面に取り付けられることとなる（図３参照）。
【００２１】
そして、前記液体ディスペンサー１５の左右側壁１５Ａの幅狭の後面１５Ａ２には、前記取付け体１０Ａ、１０Ｂに突出した支承部１３Ａ、１３Ｂが下方からそれぞれ嵌合する嵌合溝１５Ｂが形成される。前記液体ディスペンサー１５を前記開閉扉７の裏面に取り付ける際には、前記支承部１３Ａ、１３Ｂに各嵌合溝１５Ｂが上方から嵌合しながら下方へと案内され、前記各嵌合溝１５Ｂの上端部を形成する各当接部１５Ｃが前記支承部１３Ａ、１３Ｂの上端部に当接係止して、前記開閉扉７の裏面に取り付けられることとなる（図４参照）。
【００２２】
なお、前記液体ディスペンサー１５の上面に開設された注入口を介して前記飲料が充填されるが、前記注入口を開閉するための蓋体１７が手動操作により回動させて取付け取外し可能に設けられる。また、前記液体ディスペンサー１５の前面１５Ｄには、前記飲料を飲みたいときに、操作して適宜な量を取出すことができる蛇口１８が設けられる。この蛇口１８のレバー１８Ａを回動させることにより、下部に形成された取出し口を開閉することにより、前記飲料を取出すことができる。
【００２３】
なお、前記注入口を開閉するための蓋体１７に関しては、その構造は問わない。また、前記飲料を取出す前記蛇口１８に関しては、手動操作により前記レバー１８Ａを回動することにより内部のバルブ（図示せず）を開いて前記取出し口を開く構成であるが、この構造のものに限らず、その他の手動操作による開閉機構、例えば操作レバーをグラスやコップを押圧回動させて前記バルブを開く構造のものでもよい。
【００２４】
以上のように、前記蓋体１７を開けて前記液体ディスペンサー１５内に前記飲料を充填して後、前記蓋体１７を閉め、前記開閉扉７の裏面に前記液体ディスペンサー１５は取り付ける。即ち、前記支承部１３Ａ、１３Ｂに各嵌合溝１５Ｂが上方から嵌合させると、前記支承部１３Ａ、１３Ｂにより下方へと案内され、前記各嵌合溝１５Ｂの上端部の各当接部１５Ｃが前記支承部１３Ａ、１３Ｂの上端部に当接係止して、前記開閉扉７の裏面に取り付けられることとなる。
【００２５】
そして、前記圧縮機の運転により前記冷却器で生成された冷気は送風機により吹出口を介して前記冷凍室４及び前記冷蔵室３内に供給され、それぞれ冷凍温度、冷蔵温度に保持されるので、前記開閉扉７の裏面に取り付けられた前記液体ディスペンサー１５内に貯留された前記飲料は冷却されることとなる。
【００２６】
このため、使用者は前記開閉扉７を開けて、前記蛇口１８の前記レバー１８Ａを回動させて、手に持ったグラス等に冷えた前記飲料を注ぐことができ、利用に供することができる。
【００２７】
なお、図１及び図４に示す前記支承部１３Ａ、１３Ｂに代えて、図５に示すように、前後方向に長く且つ左右方向にも長い支承部２３Ａ、２３Ｂを前記取付け体１０Ａ、１０Ｂに向かい合うように突出させて形成し、この支承部２３Ａ、２３Ｂにより前記液体ディスペンサー１５の下面の左右端部を支承するようにしてもよい。但し、前記液体ディスペンサー１５の重心が前記支承部２３Ａ前端と２３Ｂ前端を結ぶ線より前記開閉扉７の裏面側から見て後方位置（奥行き側）にあって、前記液体ディスペンサー１５が前記開閉扉７の裏面側から見て手前方向に落下しないような前記支承部２３Ａ、２３Ｂか前記液体ディスペンサー１５である必要がある。
【００２８】
以上のように、前記支承部２３Ａ、２３Ｂにて前記液体ディスペンサー１５を支承するようにすることにより、前記液体ディスペンサー１５の両側面に前記嵌合溝１５Ｂをそれぞれ形成する必要がなくなるから、コスト高とならず、汎用品を使用することもできることとなる。即ち、極力庫内の収納体積に影響を与えることなく、冷蔵室３の前面開口を開閉する開閉扉７の裏面に液体ディスペンサー１５を配置して、使用者にとって使い勝手のよい、実用的な冷蔵庫を提供することができる。
【００２９】
また、前記液体ディスペンサー１５の前記開閉扉７の裏面への取り付けは、種々の構造により行うことができ、その構造は問わないものである。前記液体ディスペンサー１５は、上述したような外形形状に限らず、例えば前記嵌合溝１５Ｂや、左右側壁１５Ａの段差を形成しなくともよい。これにより、汎用品を使用することもできることとなる。即ち、前記液体ディスペンサー１５は、前記開閉扉７の裏面に取付けるサイズが合えば、市販されている汎用品を利用することができる。
【００３０】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００３１】
１              冷蔵庫
３              冷蔵室
７              開閉扉
１０Ａ、１０Ｂ  取付け体
１２            収納ラック
１３Ａ、１３Ｂ  支承部
１５            液体ディスペンサー
１５Ａ          側壁
１５Ｂ          嵌合溝
【図１】
2014139488.tif 000003
【図２】
2014139488.tif 000004
【図３】
2014139488.tif 000005
【図４】
2014139488.tif 000006
【図５】
2014139488.tif 000007